【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
会員登録した会員遊技者に発行される記録媒体であって、遊技者が当日の遊技において獲得した当日所有遊技媒体数並びに当該遊技者が当日前の遊技において獲得した当日前所有遊技媒体数を特定可能な記録媒体識別情報が記録された会員用記録媒体と、一般遊技者に発行される記録媒体であって、前記当日所有遊技媒体数を特定可能な記録媒体識別情報が記録された非会員用記録媒体とを含む遊技用記録媒体を受付け可能であり、該受付けた遊技用記録媒体に記録されている記録媒体識別情報の読み出しを行う記録媒体読出し手段と、
前記非会員用記録媒体を貯留するための記録媒体貯留部を有し、該記録媒体貯留部に貯留している非会員用記録媒体を発行可能な記録媒体発行手段と、
前記記録媒体読出し手段により読み出された記録媒体識別情報を送信する記録媒体識別情報送信手段と、
前記記録媒体識別情報から特定される当日所有遊技媒体数或いは当日前所有遊技媒体数を遊技に使用するための処理を行う使用処理手段と、
を備え、遊技機に対応して設けられた遊技用装置と、
前記遊技用装置とデータ通信可能に接続され、各記録媒体識別情報に対応付けて前記記録媒体識別情報が記録された前記非会員用記録媒体を所持する一般遊技者が所有する当日所有遊技媒体数、若しくは前記記録媒体識別情報が記録された前記会員用記録媒体を所持する会員遊技者が所有する当日所有遊技媒体数並びに当日前所有遊技媒体数を管理するための管理手段と、
から成る遊技用システムであって、
前記遊技用装置は、
遊技者から、当該遊技者が所有する当日所有遊技媒体数の少なくとも一部である振分け遊技媒体数を他の遊技者の当日所有遊技媒体数として振分けるための振分け操作を受付ける振分操作受付け手段と、
前記振分け操作の受付け後に、前記振分け遊技媒体数を特定可能な情報と、振分け元の遊技用記録媒体の記録媒体識別情報と、前記記録媒体貯留部に貯留している非会員用記録媒体のうち、振分け先の遊技用記録媒体として発行する非会員用記録媒体から前記記録媒体読出し手段により読み出された振分け先の記録媒体識別情報とを送信する振分け要求送信手段と、
前記振分け先の遊技用記録媒体として発行する非会員用記録媒体を排出する旨を報知する報知手段と、
を備え、
前記管理手段は、
前記振分け要求送信手段から送信された前記振分け元の遊技用記録媒体の記録媒体識別情報に対応付けて記憶されている当日所有遊技媒体数から前記振分け遊技媒体数を減算更新するための処理と、該送信された振分け先の記録媒体識別情報に対応付けて前記振分け遊技媒体数を記録するための処理と、を含む振分け処理を行う振分け処理手段と、
前記振分け先の遊技用記録媒体として発行された非会員用記録媒体が他の遊技用装置に受付けられたことに際して当該他の遊技用装置の記録媒体識別情報送信手段から送信されてくる記録媒体識別情報が、前記振分け先の記録媒体識別情報である場合には、当該振分け先の記録媒体識別情報に対応付けて記憶されている、前記振分け遊技媒体数の範囲で遊技媒体数の使用を可能にする使用可能化処理を実行する使用可能化処理手段と、
を備え、
前記使用処理手段は、前記使用可能化処理が実行されたことを条件に、前記振分け遊技媒体数を遊技に使用するための処理を行う
ことを特徴とする遊技用システム。
【手続補正２】
【補正対象書類名】明細書
【補正対象項目名】０００６
【補正方法】変更
【補正の内容】
【０００６】
前記課題を解決するために、本発明の請求項１に記載の遊技用システムは、
会員登録した会員遊技者に発行される記録媒体であって、遊技者が当日の遊技において獲得した当日所有遊技媒体数並びに当該遊技者が当日前の遊技において獲得した当日前所有遊技媒体数を特定可能な記録媒体識別情報が記録された会員用記録媒体と、一般遊技者に発行される記録媒体であって、前記当日所有遊技媒体数を特定可能な記録媒体識別情報が記録された非会員用記録媒体とを含む遊技用記録媒体を受付け可能であり、該受付けた遊技用記録媒体に記録されている記録媒体識別情報の読み出しを行う記録媒体読出し手段と、
前記非会員用記録媒体を貯留するための記録媒体貯留部を有し、該記録媒体貯留部に貯留している非会員用記録媒体を発行可能な記録媒体発行手段と、
前記記録媒体読出し手段により読み出された記録媒体識別情報を送信する記録媒体識別情報送信手段と、
前記記録媒体識別情報から特定される当日所有遊技媒体数或いは当日前所有遊技媒体数を遊技に使用するための処理を行う使用処理手段と、
を備え、遊技機に対応して設けられた遊技用装置と、
前記遊技用装置とデータ通信可能に接続され、各記録媒体識別情報に対応付けて前記記録媒体識別情報が記録された前記非会員用記録媒体を所持する一般遊技者が所有する当日所有遊技媒体数、若しくは前記記録媒体識別情報が記録された前記会員用記録媒体を所持する会員遊技者が所有する当日所有遊技媒体数並びに当日前所有遊技媒体数を管理するための管理手段と、
から成る遊技用システムであって、
前記遊技用装置は、
遊技者から、当該遊技者が所有する当日所有遊技媒体数の少なくとも一部である振分け遊技媒体数を他の遊技者の当日所有遊技媒体数として振分けるための振分け操作を受付ける振分操作受付け手段と、
前記振分け操作の受付け後に、前記振分け遊技媒体数を特定可能な情報と、振分け元の遊技用記録媒体の記録媒体識別情報と、前記記録媒体貯留部に貯留している非会員用記録媒体のうち、振分け先の遊技用記録媒体として発行する非会員用記録媒体から前記記録媒体読出し手段により読み出された振分け先の記録媒体識別情報とを送信する振分け要求送信手段と、
前記振分け先の遊技用記録媒体として発行する非会員用記録媒体を排出する旨を報知する報知手段と、
を備え、
前記管理手段は、
前記振分け要求送信手段から送信された前記振分け元の遊技用記録媒体の記録媒体識別情報に対応付けて記憶されている当日所有遊技媒体数から前記振分け遊技媒体数を減算更新するための処理と、該送信された振分け先の記録媒体識別情報に対応付けて前記振分け遊技媒体数を記録するための処理と、を含む振分け処理を行う振分け処理手段と、
前記振分け先の遊技用記録媒体として発行された非会員用記録媒体が他の遊技用装置に受付けられたことに際して当該他の遊技用装置の記録媒体識別情報送信手段から送信されてくる記録媒体識別情報が、前記振分け先の記録媒体識別情報である場合には、当該振分け先の記録媒体識別情報に対応付けて記憶されている、前記振分け遊技媒体数の範囲で遊技媒体数の使用を可能にする使用可能化処理を実行する使用可能化処理手段と、
を備え、
前記使用処理手段は、前記使用可能化処理が実行されたことを条件に、前記振分け遊技媒体数を遊技に使用するための処理を行う
ことを特徴としている。
この特徴によれば、同一の遊技媒体データによる当日所有遊技媒体数を複数の遊技者にて使用できるようにする振分けが、一般の遊技者が所有できる遊技用記録媒体を受付けることにより実施されるので、会員用記録媒体（会員カード）を所持していない一般の遊技者であっても、これらの振分けを受けることができるばかりか、これの振分けを簡便且つ正確に実施することができるとともに、当日前所有遊技媒体数からの振分けを許容するか否かを、遊技場の営業形態に応じて設定することができる。